(57)【要約】 【課題】  本発明は、薄紙を用いた紙製コップ又は容器について、開口部周縁部にカール部を構成することのできる紙製コップ又は紙製容器の提供を課題とする。【解決手段】少なくとも開口部を有し、薄手の紙よりなる紙製容器又は紙製コップの開口部周縁部に紙製の補強部を重ね、該重ねた部分をカールしてカール部を形成するカール部を有する紙製容器又は紙製コップにより前記課題を達成できるものである。【選択図】    図１
2012166803.tif 000002
【特許請求の範囲】
【請求項１】
少なくとも開口部を有し、薄手の紙よりなる紙製容器又は紙製コップの開口部周縁部に紙製の補強部を重ね、該重ねた部分をカールしてカール部を形成することを特徴とするカール部を有する紙製容器又は紙製コップ。
【請求項２】
薄手の紙が少なくとも坪量１２０ｇ／平方メートル程度の以下の厚みを有する紙よりなることを特徴とする請求項１記載のカール部を有する紙製容器又は紙製コップ。
【請求項３】
補強部が薄手の紙よりなることを特徴とする請求項１又は２のいずれかに記載のカール部を有する紙製容器又は紙製コップ。
【請求項４】
紙製容器又は紙製コップの開口部周縁部に有する補強部が接着部材で周縁部と接着してなることを特徴とする請求項１乃至３のいずれかに記載のカール部を有する紙製容器又は紙製コップ。
【請求項５】
開口部周縁部に補強部を重ねることにより周縁部を２重に形成し、該重ねた部分をカールしてカール部を形成したことを特徴とする請求項１乃至４のいずれかに記載のカール部を有する紙製容器又は紙製コップ。
【請求項６】
開口部周縁部に複数の補強部を重ねることにより周縁部を３重以上に形成し、該重ねた部分をカールしてカール部を形成したことを特徴とする請求項１乃至４のいずれかに記載のカール部を有する紙製容器又は紙製コップ。
【請求項７】
予め紙製シートの一端辺部に補強部を重ね、補強部を有する紙製シートを構成し、
この紙製シートを用いて紙製容器又は紙製コップを成形した上で、該重ねた部分をカールしてカール部を形成したことを特徴とする請求項１乃至６のいずれかに記載のカール部を有する紙製容器又は紙製コップ。
【請求項８】
予め紙製シートの一端辺部に補強部を重ね、該重ねた部分をカールしてカール部を形成し、
該カール部を有する紙製シートを用いて紙製容器又は紙製コップを成形したことを特徴とする請求項１乃至６のいずれかに記載のカール部を有する紙製容器又は紙製コップ。
【請求項９】
予め紙製シートを用いて紙製容器又は紙製コップを成形し、紙製容器又は紙製コップの開口部周縁部に紙製の補強部を重ね、該重ねた部分をカールしてカール部を形成することを特徴とする請求項１乃至６のいずれかに記載のカール部を有する紙製容器又は紙製コップ。
【発明の詳細な説明】
【技術分野】
【０００１】
本発明は、特に薄紙を用いることのできる紙製コップ又は容器であって、開口部周縁部にカール部を有する紙製コップ又は紙製容器に関する。
【背景技術】
【０００２】
従来紙製コップや紙製容器の開口部分の外周端辺部は、コップ又は容器の開口部分の強度を増して、変形によりつぶれないようにカール部を有するものである。
コップや容器の開口部の外周端辺の周縁部分にカール部を有することにより円形の開口部の外周がしっかりと形成され、例えばコップや容器内に内容物例えば飲料水などを入れた状態でも、開口部はしっかりと円形を保ち、容器として強度をもって形成されているものとなる。
【０００３】
コップのほか例えばアイスクリーム容器や多種にわたる各種商品を収納する容器にも同様に用いられているものである。
従って、開口部の強度を増すことにより容器自体の強度を増すために開口部の周縁部にカール部を設けたコップや容器は多用されているものである。
【先行技術文献】
【特許文献】
【０００４】
【特許文献１】特開２０１０−２６９７９８号
【特許文献２】特開２０１０−４２８６９号
【特許文献３】特開２０１０−３０６５８号
【発明の概要】
【発明が解決しようとする課題】
【０００５】
以上の様に、紙製容器や紙製コップにおいて開口部の外周周縁部にカール部を設けることは、容器内に一定以上の重量のある内容物を入れることが前提となることから用いられる紙も厚紙が用いられるものである。
従って、厚紙ゆえにカール部の成形も行えるものとなる。
一般には坪量２００ｇ／平方メートルや坪量３００ｇ／平方メートル程度の以上の紙が用いられることとなる。
【０００６】
しかし、この様な厚手の紙を用いなくとも容器の強度を増すことができれば、薄手の紙を用いた容器でも、一定程度の重量のある内容物を入れても変形しない容器が成立しうるものである。
この場合、そもそもカール部を設けるには少なくとも坪量１２０ｇ／平方メートル程度の厚みを有さないとカール部が成形できないものである。
即ち、紙が薄すぎて、カール形状を維持できず、又カールしたとしても紙が薄手故に脆弱で変形しやすいものとなる。
従って、薄手に紙を用いた容器にあってはカール部を用いたコップや容器は成形できないものであった。
【０００７】
反面、薄手の紙を用いた容器やコップは、その用途が多用にあり、各種場面で使用されるものであり、又厚手の紙を用いるのに対して極めてコストを下げることができるものとなることから、薄手の紙を用いた容器やコップであってもその成形強度を高め、よりしっかりしたコップや容器の提供が望まれているものである。
特に一定以上の重量のある内容物を収納できる容器乃至コップを薄手の紙で成形でき、例えば飲料水用の小型の紙コップやクリーム状に物等や各種のものを変形せずに収納できる各種容器が薄手の紙によって提供できるようになることは困難性が高い反面、要望の極めて多いものであった。
【課題を解決するための手段】
【０００８】
係る課題を解決するために、請求項１に係る発明は少なくとも一面に開口部を有する薄手の紙よりなる紙製容器又は紙製コップの開口部周縁部に紙製の補強部を重ね、該重ねた部分をカールしてカール部を形成するカール部を有する紙製容器又は紙製コップからなるものであり、係る発明によって前記課題を解決できる。
又、請求項２に係る発明は薄手の紙が少なくとも１２０ｇ／平方メートル程度の以下の厚みを有するものであり、特に薄手の紙を用いてもカール部の成形を可能とするものである。
【０００９】
或いは請求項３に係る発明のように更に補強部が薄手の紙よりなるカール部を有する紙製容器又は紙製コップにより解決できるものであり、該薄手の補強部によってカール部成形時の補強を可能とするものである。
これらの場合、請求項４に係る発明のように紙製容器又は紙製コップの開口部周縁部に補強部が接着部材で周縁部と接着してなるカール部を有する紙製容器又は紙製コップを用いるものであってもよい。
【００１０】
これらの場合、請求項５に係る発明のように開口部周縁部に補強部を重ねることにより周縁部を２重に形成し、該重ねた部分をカールしてカール部を形成したカール部を有する紙製容器又は紙製コップを用いても、請求項６に係る発明のように開口部周縁部に複数の補強部を重ねることにより周縁部を３重以上に形成し、該重ねた部分をカールしてカール部を形成したカール部を有する紙製容器又は紙製コップを用いてもよい。
更に、請求項７に係る発明のように予め紙製シートの一端辺部に補強部を重ね、補強部を有する紙製シートを構成し、この紙製シートを用いて紙製容器又は紙製コップを成形した上で、該重ねた部分をカールしてカール部を形成した紙製容器又は紙製コップでもよい。
【００１１】
或いは請求項８に係る発明のように予め紙製シートの一端辺部に補強部を重ね、該重ねた部分をカールしてカール部を形成し、該カール部を有する紙製シートを用いて紙製容器又は紙製コップを成形したカール部を有する紙製容器又は紙製コップを用いることもできる。
更には請求項９に係る発明のように予め紙製シートを用いて紙製容器又は紙製コップを成形し、紙製容器又は紙製コップの開口部周縁部に紙製の補強部を重ね、該重ねた部分をカールしてカール部を形成するカール部を有する紙製容器又は紙製コップでもよい。
【発明の効果】
【００１２】
以上のように構成したことから、紙製コップ又は紙製容器の開口部のカール部を少なくともシート地自体の厚みの二重以上の厚みをもって構成できるものであり、しっかりとしたカール部を形成できるものである。
従って、紙製コップや紙製容器の最も強度の弱い開口部をより強度の高いカール部によって補強できるものであり、強度のある紙製コップ又は紙製容器を製造できるものである。
特に、薄手の紙を用いた紙製コップ又は紙製容器に関しては、そもそも紙が薄いゆえにカール部を形成できなかったが、カール部分の厚みを増すことにより開口部にカール部を形成することが可能となるものである。
【００１３】
このことは薄手の紙ゆえ極めて強度が低い上に開口部においても強度を増すためのカール部の形成ができなかったことから変形することが前提の紙製コップ又は紙製容器を用いていたものであり、それに応じた使用用途しか有さなかった。
しかし、薄手の紙からなる紙製コップ又は紙製容器でも、開口部に強度を有するカール部を形成できることから強度のある薄手の紙によって成形された紙製コップ又は紙製容器が提供できるものとなったものである。
【００１４】
従って、従来用いることのできなかった薄手の紙製のコップ又は容器をより広い範囲で使用できることとなり、特に液体や重量のある内容物を入れるのに用いることもできることとなる。
更には薄手の紙ゆえ低価格でかつその成形も簡単に成形できるものとなるものであり、コストをかけずに有用な強度のある紙製のコップ又は容器を製造でき、かつ提供できるものとなる。
【００１５】
特に補強部を重ねることにより簡単にカール部分の紙の厚みを増すことができるものである。
次に請求項２に係る発明により、従来カール部の成形ができなかった１２０ｇ／平方メートル程度の以下の厚みを有する紙を用いた紙製のコップ又は容器にもカール部を形成できることなる。
【００１６】
更に請求項３に係る発明により、補強部に関しても薄手の紙製シートを用いることができ、単価の安い薄手の紙を有効に使用できるものである。
更に請求項４に係る発明により補強部を接着部材で接着するものであり、該接着によって補強部の強度を更に高めることができ、より強度のあるかつしっかりしたカール部を形成できる。
【００１７】
従って紙製のコップ又は容器の強度を高めることができ、より重量のあるものを入れた場合にも変形しにくいコップ又は容器の提供を可能とする。
さらに加えて、より薄手の紙を用いた場合でもカール部自体の形成を可能とするものである。
次に請求項５に係る発明の２重の補強部でも、或いは請求項６に係る発明による３重以上の補強部でも任意の回数の層の補強部を有することができ、必要に応じて或いは紙質等に応じて任意の補強部穂形成するものとなって各種の薄手の紙を適切にカールできることとなると共に、用途などに応じて必要な強度を有するカール部の形成を可能とする。
【００１８】
更には請求項７乃至９に示す各発明のようにカール部を有する紙製容器又は紙製コップをそれぞれに応じた工程を経て製造することができるものとなる。
従って、紙製シート地の周縁部に補強部を重ねてからカール部を成形しても、或いはコップ状等に成形した後にカール部を成形してもよく、又補強部に関してもシート地自体に形成しても、或いはコップ等に成形後に補強部を重ねて形成してもよい。
従って、それぞれに応じて、必要な工程をもってカール部を有する紙製容器又は紙製コップを製造できることとなる。
【図面の簡単な説明】
【００１９】
【図１】本発明に係るカール部を有する紙製容器又は紙製コップの一例を示す図
【図２】図１に示す紙製コップの断面図を示す図
【図３】図１に示す紙製コップの製造過程の一例を示す図
【図４】図１に示す紙製コップの製造過程の一例を示す図
【図５】本発明に係るカール部を有する紙製容器又は紙製コップの製造過程の他の一例を示す図
【図６】本発明に係るカール部を有する紙製容器又は紙製コップの製造過程の他の一例を示す図
【図７】本発明に係るカール部を有する紙製容器又は紙製コップの他の一例を示す図
【図８】本発明に係るカール部を有する紙製容器又は紙製コップの他の一例を示す図
【図９】本発明に係るカール部を有する紙製容器又は紙製コップの製造過程の他の一例を示す図
【図１０】本発明に係るカール部を有する紙製容器又は紙製コップの製造過程の他の一例を示す図
【図１１】本発明に係るカール部を有する紙製容器又は紙製コップの他の一例を示す図
【発明を実施するための形態】
【００２０】
本発明に係る基本的な構成を示す紙製コップの一例を示す。
本図に示す紙製コップは、坪量６０ｇ／平方メートルのクラフト紙を用いてカール部Ｃを有する紙製コップからなる。
本図に示すように紙製コップの開口部の外周周縁部にはカール部Ｃが設けられているが、該部分は紙製コップの開口部の外周周縁部に紙製シート１より構成された本体に補強部２を重ね、該周縁部と補強部２を接着部材３で接着した上で、この部分を巻き込んでカール部Ｃを成型した紙製コップである。
【００２１】
この様に構成することにより、該カール部Ｃは少なくとも坪量６０ｇ／平方メートルのクラフト紙に補強部２が接着することから、該補強部２に坪量６０ｇ／平方メートルのクラフト紙を用いると厚みが坪量１２０ｇ／平方メートルの厚みとなるばかりでなく接着部材３によって接着したものであることからその接着部材３の接着による付加強度をも併せ有するものとなる。
尚、補強部２は紙を用いるものであり、薄手の紙を用いて周縁部に重ねてカールすることにより必要な厚み及び強度を有する周縁部を形成できることから、該部分がカールできるものである。
【００２２】
このことにより、薄手の紙を用いるコップであっても、紙製コップの開口部の外周周縁部にカール部Ｃをもって構成できることとなり、このカール部Ｃによってコップ自体の変形を防止できることとなり、薄手の紙を用いた強度を有する紙製コップの提供を可能とする。
このカール部Ｃにより、すくなくともコップの開口部分は円形を維持できるものであり、例えば飲料水等を入れることのできるコップの提供が可能である。
特に試飲用等のコップなどには最適なコップが提供できる。
【００２３】
本図構成は接着部材３を用いて紙製コップの開口部の外周周縁部の紙製シート１より構成される本体に補強部２を重ねて接着したものであるが、例えば補強部２に例えば坪量７０ｇ／平方メートル乃至坪量１２０ｇ／平方メートル程度のクラフト紙を用いて重ねることにより、この部分をカール部Ｃに成形するものであってももちろんよい。
或いはこれよりも厚手の１２０ｇ／平方メートルを超える紙を用いる紙からなる補強部２でも、或いはこれよりも薄手紙からなる補強部２を用いるものであってもよい。
更に紙製容器又は紙製コップ自体が、例えば７０ｇ／平方メートル乃至１２０ｇ／平方メートル程度のクラフト紙を用いたものでもよく、或いはより厚手の１２０ｇ／平方メートルを超える紙を用いるもののでもよく、より強度を増すために補強部２で補強してカール部Ｃに成形するものであってももちろんよい。
【００２４】
図２は、図１に示す紙製コップの断面図を示す。
本図に示すように、該コップの開口部分は、その周縁部に紙製シート１より構成成形された本体に補強部２が添えられて２重になり、更に接着部材３で接着された上でカール部Ｃを形成しているものである。
この様に構成することによりカール部分Ｃの紙を厚くした上で強度を持たせた状態でカール部Ｃの成形ができる。
尚、説明上紙製コップとして明示するが、もとより紙製容器をこの様に構成するものであってもよい。
更に開口部は円筒形であるが、これが楕円形であっても或いは角部を有する複数角形状の開口を有する容器に用いたものであってもいずれでもよい。
【００２５】
図３及び図４は、図１に示す紙製コップの成形手順の一例を示す本発明に係る紙製コップ又は紙製容器の断面図である。
まず、円筒形コップの開口部の周縁部の紙製シート１よりなる本体に補強部２を重ねる。
この補強部２或いは開口部周縁部周囲には接着部材３を塗布して、この補強部２を接着するものである。
更に図４に示すようにこの補強部２を接着した周縁部をカールさせてカール部Ｃを形成する。
この様に極めて簡単に成形できると共にカール部Ｃを有する薄手の紙製容器を成型できるものである。
【００２６】
図１乃至４は説明のため、コップ形状の紙製容器の開口周縁部に補強部を重ねた状態で接着し、更にこの部分をカールするものとして示すが、この方法に限らずコップ体を形作るための紙製シート地１であってコップに成形する前の段階のシート地自体の一端辺部に補強部２を重ね、この補強部２を接着部材３で接着するものでもよい。
もとより補強部２はカール部Ｃを形成するための補強であり、少なくともカールを構成できる程度の幅を有していればよいものである。
この様に補強部２を接着した後に予めこの補強部２を重ねた部分をカールしてカール部Ｃを形成した後に最終的にコップ形状や容器形状に成形するものでもよい。
【００２７】
或いは補強部２を重ねて接着した段階の後にコップ或いは容器形状に成型し、この状態からカール部Ｃを形成するものであってもいずれでもよい。
従って、例えば他の方法として、図５に示す本発明の紙製コップ又は紙製容器の一例の断面図のようにコップ状に成型する前の段階で、まず薄手の紙製シート１の一端部に補強部２を接着部材３で接着し、補強部２を接着した薄手の紙シート地を構成するものであってもよい。
更に続けて図６に示すように紙製シート１に該補強部２を接着し、該接着部分である重ねた部分をカールさせて該薄手の紙製シート１の一端辺部にカール部Ｃを有するシート地を成形する。
この様に成形した紙製のシート地１を用いてコップ状に丸めこんでコップ形状に成型するものであってもよい。
【００２８】
図７は、接着部材３で補強部２を重ね、更にこの補強部２を接着せずに補強部を添えた状態で両者を丸めこんでカールさせてカール部Ｃを成形した一例の断面図である。
この様にしても補強部２を重ねることにより厚みを増して強度を高められることからカール部Ｃの成形を可能とする。
図８は、開口部の周縁部に補強部２を少なくとも２枚重ねて添え、更に必要に応じてこれらを接着して複層の周縁部を形成した上でカールさせてカール部Ｃを形成する他の一例を示す図であり、カール部Ｃを形成する前の段階を示す図であり、図９はカール部Ｃを形成した状態を示す図である。
【００２９】
本図に示す場合においても接着部材３を用いて接着するものでも、或いは接着部材を用いずに重ねた状態でカールさせるものであってもいずれを用いてもよい。
この様に三重にすることにより、例えば６０ｇ／平方メートルのクラフト紙を用いても、更に二重の補強部２により厚みを増すことができ、少なくともこれら複層の周縁部は厚みが１２０ｇ／平方メートル程度の紙の厚みとなるものであり、紙製シート１が６０ｇ／平方メートルとした場合には計１８０ｇ／平方メートル程度の紙の厚みとなるものである。
更に接着部材を用いた場合には更に厚みを有し極めて強度を有する紙と同等となる。
従って、より強度のカール部Ｃの成形を可能とする。
【００３０】
併せて例えば６０ｇ／平方メートルのクラフト紙に限らずより薄手の４０ｇ／平方メートルの紙厚の薄手の用紙でも或いはより薄手の紙製シート１を用いた場合でも、補強部２を一層の場合のみならず更に２層などの複層とすれば、より紙の厚みを有することができ、接着部材３を用いればさらに強度を増して充分にカール部Ｃの成形が可能となる。
従って、この補強部３をより多数重ねるものでも、或いは接着部材３を用いることによっても、極めて薄手の紙製シート１を用いてもカール部Ｃの成形ができるものであり、更にはカール部Ｃ自体にも十分に強度を有した状態で成形できるものである。
【００３１】
尚、本明細書上クラフト紙として説明するが、もとよりクラフト紙に限定されるものではなく上質紙を用いても或いは他の各種紙葉を用いるものであってもいずれでもよい。
少なくとも紙を用いるものであればよいものであり、薄手の紙を用いることのできる紙製コップや紙製容器をいうものである。
尚、これは薄手の紙を主に示すものであるが、厚手の紙を排除するものではない。
更に補強部２に関しても薄手の紙のほか厚手の紙を用いるものであってももちろんよい。
更には紙製のコップや紙製の容器を成型するものであり、紙に関しては樹脂シート等との複層紙シートを含むものである。
【００３２】
図１０は、補強部２をカップ開口部の外側ではなく、内側に重ねて、形成した状態を示す図であり、カール部Ｃを成形する前の状態を示す。
又図１１は、更にカール部Ｃを形成した状態の一例を示す図である。
この様に構成してもカップ周縁部は少なくともカールできる程度の強度を有することとなり、カール部Ｃの成形ができる。
更にこの様にして構成したカール部Ｃは少なくとも一定程度の強度を有するものであって、コップ又は容器の開口部を一定の形状に維持できる強度を有することとなる。
以上のように図１乃至９はいずれも補強部２を開口部外側に用いた例を示すが、これに限らず図１０及び１１に示すように内側に補強部を用いてカール部Ｃを形成するものであってもよい。
【符号の説明】
【００３３】
１  紙製シート
２  補強部
３  接着部材
Ｃ  カール部
【図１】
2012166803.tif 000003
【図２】
2012166803.tif 000004
【図３】
2012166803.tif 000005
【図４】
2012166803.tif 000006
【図５】
2012166803.tif 000007
【図６】
2012166803.tif 000008
【図７】
2012166803.tif 000009
【図８】
2012166803.tif 000010
【図９】
2012166803.tif 000011
【図１０】
2012166803.tif 000012
【図１１】
2012166803.tif 000013